(57)【要約】【課題】文字を書く際に筆から余分な墨を簡単に落としてスムーズに筆の墨の量を調整できるとともに、１つの硯だけで濃淡の異なる墨を使い分けることができる硯を提供する。【解決手段】周囲を囲む縁部１２の内側に、墨を磨る面を形成した丘１４と、墨を溜める墨池１６と、丘１４から墨池１６に向けて下り傾斜して丘１４と墨池１６とを連設する斜面１８と、を備えた硯であって、丘１４と斜面１８とが接続している丘１４の境界辺部２４の一部に、該境界辺部２４に沿って横長に形成されつつ該丘１４から上方に向けて突設されて、丘１４と斜面１８との一部を堰状に仕切る突設部２０と、丘１４に凹設されて墨池とは異なる他の墨溜めとなる凹部２２であり、突設部の仕切り面２０ａの丘側に該突設部２０に隣接して配置された凹部２２と、を１組又は複数組備えたことを特徴とする硯から構成される。【選択図】図１
0003146873.tif 000002
【実用新案登録請求の範囲】
【請求項１】
周囲を囲む縁部の内側に、墨を磨る面を形成した丘と、墨を溜める墨池と、丘から墨池に向けて下り傾斜して丘と墨池とを連設する斜面と、を備えた硯であって、
丘と斜面とが接続している丘の境界辺部の一部に、該境界辺部に沿って横長に形成されつつ該丘から上方に向けて突設されて、丘と斜面との一部を堰状に仕切る突設部と、
丘に凹設されて墨池とは異なる他の墨溜めとなる凹部であり、突設部の仕切り面の丘側に該突設部に隣接して配置された凹部と、を１組又は複数組備えたことを特徴とする硯。
【請求項２】
突設部は、横長長手方向の一端部側を縁部に接続して設けられた請求項１記載の硯。
【考案の詳細な説明】
【技術分野】
【０００１】
本考案は、書道等に用いられる硯に関する。
【背景技術】
【０００２】
書道で筆と墨を使用して文字を書く際には、硯の墨池に溜めた墨に筆を浸けて墨を十分に含ませた後に筆から余分な墨を落として墨の量を調節する。従来、筆から余分な墨を落とす際には、硯の墨を磨る部分である小高く形成された丘に筆をこすりつけていた。また、例えば、特許文献１に開示されているように、硯の丘部の手前側に筆ならし用の突起を設けて、該突起で筆をならすものも提案されていた。
【０００３】
【特許文献１】特開平１１−７０７９１号公報
【考案の開示】
【考案が解決しようとする課題】
【０００４】
しかしながら、従来の硯や特許文献１のように突起が丘部の手前側に設けられた硯では、丘上に筆の余分な墨を落とすものであるから、繰返し筆を墨に浸けて文字を書くにつれて丘に墨がたまりやすかった。したがって、丘にたまった墨が筆に付着して筆から余分な墨を落としにくく、筆の墨の量の調節が困難であり、書いた文字が滲んでしまったり、筆から滴り落ちた墨が紙を汚してしまったり等してスムーズに文字を書けない場合があった。また、従来の硯では、例えば、濃度や色の異なる墨を使いたい場合には別の硯を用意する必要があり、場所をとって不便であるとともに、コストがかかる問題があった。
【０００５】
本考案は、上記従来の課題に鑑みてなされたものであり、その一つの目的は、文字を書く際に筆から余分な墨を簡単に落としてスムーズに筆の墨の量を調整できるとともに、１つの硯だけで濃淡の異なる墨を使い分けることができる硯を提供することにある。
【課題を解決するための手段】
【０００６】
上記課題を解決するために本考案は、周囲を囲む縁部１２の内側に、墨を磨る面を形成した丘１４と、墨を溜める墨池１６と、丘１４から墨池１６に向けて下り傾斜して丘１４と墨池１６とを連設する斜面１８と、を備えた硯であって、丘１４と斜面１８とが接続している丘１４の境界辺部２４の一部に、該境界辺部２４に沿って横長に形成されつつ該丘１４から上方に向けて突設されて、丘１４と斜面１８との一部を堰状に仕切る突設部２０２０と、丘１４に凹設されて墨池とは異なる他の墨溜めとなる凹部２２であり、突設部の仕切り面の丘側（２０ａ）に該突設部２０に隣接して配置された凹部２２と、を１組又は複数組備えたことを特徴とする硯から構成される。硯の形状は、例えば、平面視略矩形状や丸形状、整形しないで石の自然な形状等その他任意の形状でもよい。また、硯の材料は、例えば、粘板岩等の天然石やプラスチック等の合成樹脂製でもよい。また、突設部２０は、硯本体と一体的に設けられてもよく、別に設けたブロック体や棒材等を硯の丘の所定位置に固定することとしてもよい。
【０００７】
また、突設部２０は、横長長手方向の一端部側を縁部１２に接続して設けられたこととしてもよい。突設部２０の他端部は境界辺部２４の中間位置まで伸びており、突設部以外の部分は丘１４と斜面１８とを連通した開放連通部２６が形成される。
【考案の効果】
【０００８】
本考案の硯によれば、周囲を囲む縁部の内側に、墨を磨る面を形成した丘と、墨を溜める墨池と、丘から墨池に向けて下り傾斜して丘と墨池とを連設する斜面と、を備えた硯であって、丘と斜面とが接続している丘の境界辺部の一部に、該境界辺部に沿って横長に形成されつつ該丘から上方に向けて突設されて、丘と斜面との一部を堰状に仕切る突設部と、丘に凹設されて墨池とは異なる他の墨溜めとなる凹部であり、突設部の仕切り面の丘側に該突設部に隣接して配置された凹部と、を１組又は複数組備えたことから、墨池に溜めた墨に筆を浸けた後、筆を突設部の墨池側にこすりつけて筆から余分な墨を簡単に落とすことができる。同時に、突起部により筆から落とした余分な墨は墨池に戻るので、繰返して筆を突設部に当てる場合でも筆から落とした墨が筆に再付着することが一切なく、常に良好に筆から余分な墨を落として墨の量を調節することができる。さらに、例えば墨池に溜めた墨とは濃度や色の異なる墨を丘に設けた凹部に溜めることができ、１つ硯だけで必要に応じて複数の墨を使い分けることができる。さらに、丘で磨った墨を凹部に入れる際には凹部に隣接して突設部が突設しているので、該凹部に溜めようとする墨が斜面側すなわち墨池側に流れ落ちるのを遮って簡便かつ確実に凹部内に集め入れることができ、使い勝手がよい。また、突設部は境界辺部の一部のみ仕切る構造であるので、境界辺部では突設部が設けられていない部分を介して丘と墨池とが連通しており、丘で磨った墨を墨池に流して該墨池に溜めることができる。
【０００９】
また、突設部は、横長長手方向の一端部側を縁部に接続して設けられた構成とすることにより、凹部が突設部と縁部とで略Ｌ字状に囲まれた位置に配置されるので墨を凹部へ集めやすい。さらに、突設部が丘の横側に設けられるので、丘ですった墨を墨池に入れる際に比較的邪魔になりにくいとともに、墨池に入れる墨が凹部内に入りにくく墨が混ざりにくい。
【考案を実施するための最良の形態】
【００１０】
以下、添付図面を参照しつつ本考案の硯の実施の形態について説明する。本考案の硯は、書道で文字を書く際に、墨を磨るとともに該磨った墨を溜めておく硯であり、筆の墨の量の調節を確実に行えるものである。図１ないし図４は、本考案の硯の一実施形態を示している。図１、図２、図３に示すように、本実施形態において、硯１０は、周囲を囲む縁部１２の内側に、上面に墨をする面を形成した丘１４と、墨を溜める墨池１６と、丘１４から墨池１６に下り傾斜して丘１４と墨池１６とを接続した斜面１８と、を備えており、さらに、丘１４に突設部２０と、凹部２２と、が設けられている。
【００１１】
図１、図２、図３に示すように、硯１０は、例えば、粘板岩等を所定の形状、本実施形態では略偏平直方体状に切り出した後、周囲に略矩形枠状に縁部１２を残しつつ内側の略隅丸縦長四角形部分を硯上面側から削って形成されている。該縁部１２の内側は、硯の後方側（図１上、右側）から前方側（図１上、左側）に向かって順番に、縁部１２上面から数ｍｍ程度凹設された丘１４、該丘１４から下り傾斜する斜面１８、丘１４よりも深底の墨池１６、が連設されている。さらに丘１４と斜面１８及び斜面１８と墨池１６の各部位どうしは曲面で滑らかに接続されて形成されている。
【００１２】
図１、図２、図３に示すように、突設部２０は、丘１４の墨池１６側に寄った所定の位置、具体的には丘１４と斜面１８とが接続している丘の境界辺部２４の一部に丘から上方に向けて突設されている。突設部２０は、該境界辺部２４に沿って、すなわち硯の左右幅方向（図１の上下方向）に向けて、横長に設けられており、前記境界辺部２４において丘１４と斜面１８とを一部分だけ堰状に仕切っている。すなわち、突設部２０は、丘１４と墨池１６との一部仕切り手段であり、一方の仕切り面２０ａを丘１４側に、他方の仕切り面２０ｂを墨池１６側に臨ませている。突設部２０が設けられていない境界辺部２４のその他の部分は開放されて丘と斜面とが連通されている。本実施形態では、具体的には、突設部２０は、例えば、石から丘１４や墨池１６等を削って形成する際に該突設部部分を残して削ることにより硯本体と一体的に設けられており、その上端は縁部１２の上面と一致し、丘１４からの突設高さが数ｍｍ程度に設けられている。突設部２０は、平面視で境界辺部２４の右側（図１上、上方側）に配置されており、前後左右の４方を囲む縁部１２Ｆ、１２Ｂ、１２Ｒ、１２Ｌのうち右側の縁部１２Ｒに略Ｔ字状に一端部側を接続して、丘１４の左右横幅長さの約１／３程度の横長長さＴで設けられている。そして、該境界辺部２４の突設部以外の約２／３程度部分（突設部２０の延長先端側と突設部とは接続していない左側の縁部１２Ｌとの間）を開放連通部２６として丘１４から斜面１８、墨池１６へと連通している。図４に示すように、突設部２０は筆からの墨落とし手段として機能でき、例えば、墨池１６に溜めた墨に筆Ｂｒを浸けて十分に含ませた後に、この突設部２０の墨池１６側に筆Ｂｒをこすりつけて余分な墨を簡単に落とすことができる。この際、筆Ｂｒから落ちた墨は斜面１８に落ちて墨池１６に戻るので、繰返し筆を墨に浸けて文字を書く場合でも、筆を突設部２０に当てる際に墨が筆に再付着することがなく、常に良好に筆から余分な墨を落として墨の量を簡単に調節して、スムーズに文字を書くことができる。
【００１３】
凹部２２は、丘１４に凹設されており、墨池１６とは異なる他の墨溜め手段である。丘１４に凹部２２を設けたことにより、例えば、濃淡や色が異なる２種の墨を墨池１６と該凹部２２にそれぞれ溜めておくことができ、必要に応じて使い分けることができる。図１、図２に示すように、凹部２２は、突設部２０の仕切り面２０ａの丘側に該突設部２０に隣接して設けられている。本実施形態では、凹部２０は、例えば、平面視略円形状に設けられており、凹部の横幅Ｍは突設部２０の横長長さＴよりも小さい幅で設けられている。すなわち、凹部２０は、丘１４において突設部２０によって仕切られる横長さＴの範囲内に対応して配置されている。上記のように突設部２０が縁部１２Ｒに接続されているので、凹部２２は、該突設部２０と縁部１２ＲとによるＬ字隅部内側に囲まれた位置に配置されている。これにより、丘１４で墨を磨って凹部２２に溜める際に、墨池側に墨が流れ落ちるのを突設部２０により堰状に遮って墨池の墨と混ざるのを良好に防止できるとともに、突設部２０と縁部１２Ｒにより凹部内に墨を集めやすい構造となっている。
【００１４】
次に本実施形態に係る硯の作用について説明する。例えば、墨池１６に墨をためる場合には、丘１４の左側を利用して墨をすり、突設部２０が設けられていない開放連通部を介して墨池１６へ磨った墨を入れる。突設部２０が丘の横側に寄った位置に形成されているので、該突設部が邪魔になりにくく円滑に墨を溜めることができる。一方、凹部２２に墨をためる場合には、例えば、丘１４の右側を利用して墨を磨り、該磨った墨を凹部２２内に溜めていく。この際、凹部２２に隣接して突設部２０が突設され丘１４と斜面１８とを仕切っているので、該凹部２２へ入れるために磨った墨が墨池に流れるのを堰状に遮って、確実に凹部２２にためることができると同時に、墨池１６内に異なる墨が混ざりにくい。このようにして例えば濃淡が異なる墨を墨池１６と丘１４の凹部２２とにそれぞれ分けて溜めることができる。そして、筆Ｂｒで文字を書く場合には、図４に示すように、墨池１６に溜めた墨に筆Ｂｒを浸けて該筆に墨を十分に含ませた後、筆を突設部２０の墨池側（２０ｂ）にこすりつけて筆から余分な墨を簡単に落とすことができる。この際、筆から落とした墨は斜面１８に落ちて墨池１６に戻るので、繰返して突設部に筆を当てる場合でも筆から落とした墨が筆に再付着することがなく、常時良好に筆から余分な墨を落として筆の墨の量を調節することができ、スムーズに文字を書くことができる。なお、例えば、凹部２２には、例えば朱墨等の色の異なる墨を溜めることとしてもよく、この場合にも異なる色の墨が混ざりにくく使い勝手がよい。また、墨池１６を大筆又は中筆用、凹部２２を小筆用として使い分けることもできる。
【００１５】
なお、上記実施形態の硯では、突設部２０の位置が右側寄りに配置されていたがこれに限らず、突設部２０が設けられる位置は丘１４と斜面１８との境界辺部２４の一部を仕切る態様であれば任意の位置でもよい。例えば、図５に示すように、境界辺部２４の左右中央位置に突設部２０を設けてもよく、該突設部の位置にあわせて凹部２２の位置も設けられる。この際、丘１４と斜面１８との境界辺部２４では、中央に突設部２０が配置されるのでその両側に２つの開放連通部２６位置し、丘１４と斜面１８とが連通されている。また、図６に示すように、硯１０は、突設部２０とそれに隣接する凹部２２とを２組、あるいは複数組設けることとしてもよい。図６では、左右２つの突設部２０の間に、すなわち丘１４と斜面１８との境界辺部２４の左右中央位置に開放連通部２６位置し、丘と斜面とが連通されている。また、硯１０は、丘１４に突設部に隣接して設けた凹部２２とは異なる他の凹部を１個又は複数個設けても良い。
【００１６】
以上説明した本考案の硯は、上記した実施形態のみの構成に限定されるものではなく、実用新案登録請求の範囲に記載した本考案の本質を逸脱しない範囲において、任意の改変を行ってもよい。
【産業上の利用可能性】
【００１７】
本考案の硯は書道で用いられる。
【図面の簡単な説明】
【００１８】
【図１】本考案の一実施形態に係る硯の斜視図である。
【図２】図１の硯の平面図である。
【図３】図２のＡ−Ａ線矢視図である。
【図４】図１の硯の作用説明図である。
【図５】他の実施形態の硯の斜視図である。
【図６】他の実施形態の硯の斜視図である。
【符号の説明】
【００１９】
１０    硯
１２    縁部
１４    墨池
１６    丘
１８    斜面
２０    突設部
２２    凹部
【図１】
0003146873.tif 000003
【図２】
0003146873.tif 000004
【図３】
0003146873.tif 000005
【図４】
0003146873.tif 000006
【図５】
0003146873.tif 000007
【図６】
0003146873.tif 000008